(57)【特許請求の範囲】
【請求項１】
複数の記録メディアが接続可能であって、接続された前記記録メディアに記録されたコンテンツデータを読み出して再生するコンテンツデータ再生装置であって、
前記記録メディアの接続を検出する記録メディア検出手段と、
接続された前記記録メディアを解析し、解析結果を登録する記録メディア解析・登録手段と、
利用者によって操作可能であって、前記記録メディア検出手段によって接続が検出された複数の前記記録メディアの中から、操作対象となる前記記録メディアを選択する記録メディア選択手段と、
前記記録メディア選択手段によって選択された前記記録メディアを対象に、前記記録メディア解析・登録手段による解析および登録を指示する解析順番指示手段と、
前記記録メディアに記録されたコンテンツデータを読み出して再生を行うコンテンツ再生手段と、
を備え、前記記録メディア解析・登録手段による前記記録メディアの解析は、前記記録メディア検出手段によって検出された前記記録メディアの順番で行われ、前記解析順番指示手段によっていずれかの前記記録メディアの解析および登録が指示された場合にこの記録メディアに対する解析を優先して行うことを特徴とするコンテンツデータ再生装置。
【請求項２】
請求項１において、
前記解析順番指示手段によって指示された前記記録メディアに対する優先的な解析および登録が終了した後、前記記録メディア検出手段による検出順に行われる前記記録メディアの解析および登録を継続することを特徴とするコンテンツデータ再生装置。
【請求項３】
請求項１または２において、
前記記録メディア解析・登録手段によって解析され登録されたいずれかの前記記録メディアの解析結果を表示する表示手段と、
前記表示手段に表示された前記解析結果に基づいて、対応する前記記録メディアに記録されたコンテンツデータを検索して読み出すコンテンツ検索手段と、
をさらに備え、前記コンテンツ再生手段は、前記コンテンツ検索手段によって検索されたコンテンツデータを読み出して再生することを特徴とするコンテンツデータ再生装置。
【請求項４】
請求項１〜３のいずれか一項において、
前記記録メディア解析・登録手段は、前記記録メディアに記録されたコンテンツデータのフォルダ構成、ファイル構成およびファイル属性を解析することを特徴とするコンテンツデータ再生装置。
【請求項５】
請求項４において、
前記コンテンツデータが楽曲データである場合に、前記属性情報には、前記楽曲データに関するアーティスト名、アルバム名、タイトル、ジャンル名の一部あるいは全部が含まれることを特徴とするコンテンツデータ再生装置。
【発明の詳細な説明】
【技術分野】
【０００１】
本発明は、ＵＳＢメモリ等の記録メディアに記録された音楽データや映像データ等のコンテンツデータを読み出して再生を行うコンテンツデータ再生装置に関する。
【背景技術】
【０００２】
従来から、ＵＳＢメモリ等の記録メディアが接続されたときに、この記録メディアのファイルシステムを解析するとともに、ファイルやフォルダの情報やファイル内の楽曲データに含まれる楽曲情報（属性情報）を収集して楽曲リストを作成するようにしたコンテンツデータ再生装置が知られている（例えば、特許文献１参照。）。このようにして記録メディアに対応してフォルダ情報や各ファイルの属性情報をデータベース化して登録することにより、利用者は、接続された記録メディアに記録された楽曲データや映像データの検索が可能となる。
【先行技術文献】
【特許文献】
【０００３】
【特許文献１】特開２００８−１５９１７０号公報（第６−９頁、図１−８）
【発明の概要】
【発明が解決しようとする課題】
【０００４】
ところで、上述した特許文献１に開示されたコンテンツデータ再生装置では、各種の記録メディアが接続されたときにその内容が解析されてフォルダ情報や各ファイルの属性情報をデータベース化する登録処理が行われるが、記録メディアの容量の増大に伴って、記録される楽曲データや映像データの数が膨大になることも多く、接続時に行われる登録処理に時間がかかっている。特に最近では、ＵＳＢメモリやＳＤカードあるいはＤＶＤ等のディスク媒体を含む複数の記録メディアが接続可能なコンテンツデータ再生装置（例えば、車載オーディオ装置）が知られており、同時に接続された複数の記録メディアのそれぞれについて、例えば接続順に登録処理を行う場合には、登録処理が終了するまで多くの時間がかかり、コンテンツデータの再生までに時間がかかるという問題があった。例えば、ＵＳＢメモリを接続後にＳＤカードが接続された場合を考えると、後に接続されたＳＤカードについて楽曲データの検索をしようとしても、先に接続されたＵＳＢメモリについての登録が終了した後（例えば１０００曲の楽曲データが記録されている場合には登録に約３２０秒程度の時間を要する）ＳＤカードについての登録が終了するまで待たされることになる。
【０００５】
本発明は、このような点に鑑みて創作されたものであり、その目的は、複数の記録メディアが接続される場合であってもコンテンツデータの再生までにかかる時間を短縮することができるコンテンツデータ再生装置を提供することにある。
【課題を解決するための手段】
【０００６】
上述した課題を解決するために、本発明のコンテンツデータ再生装置は、複数の記録メディアが接続可能であって、接続された記録メディアに記録されたコンテンツデータを読み出して再生するコンテンツデータ再生装置であって、記録メディアの接続を検出する記録メディア検出手段と、接続された記録メディアを解析し、解析結果を登録する記録メディア解析・登録手段と、利用者によって操作可能であって、記録メディア検出手段によって接続が検出された複数の記録メディアの中から、操作対象となる記録メディアを選択する記録メディア選択手段と、記録メディア選択手段によって選択された記録メディアを対象に、記録メディア解析・登録手段による解析および登録を指示する解析順番指示手段と、記録メディアに記録されたコンテンツデータを読み出して再生を行うコンテンツ再生手段とを備えている。
【０００７】
利用者がいずれかの記録メディアを選択したときにこの選択された記録メディアを対象に解析および登録を行っているため、接続順番が早いが再生の対象ではない記録メディアの解析に時間がかかることを防止し、利用者が希望するコンテンツデータの再生までにかかる時間を短縮することができる。
【０００８】
また、上述した記録メディア解析・登録手段による記録メディアの解析は、記録メディア検出手段によって検出された記録メディアの順番で行われ、解析順番指示手段によっていずれかの記録メディアの解析および登録が指示された場合にこの記録メディアに対する解析を優先して行う。また、上述した解析順番指示手段によって指示された記録メディアに対する優先的な解析および登録が終了した後、記録メディア検出手段による検出順に行われる記録メディアの解析および登録を継続することが望ましい。これにより、基本的には接続順に各記録メディアの解析を行うとともに、利用者が先に解析を行う記録メディアを指定した場合に優先的にこの記録メディアの解析を行っているため、必要に応じて記録メディアの解析順番を変更することができ、利用者の意志を反映して操作性を向上させることができる。
【０００９】
また、上述した記録メディア解析・登録手段によって解析され登録されたいずれかの記録メディアの解析結果を表示する表示手段と、表示手段に表示された解析結果に基づいて、対応する記録メディアに記録されたコンテンツデータを検索して読み出すコンテンツ検索手段とをさらに備え、コンテンツ再生手段は、コンテンツ検索手段によって検索されたコンテンツデータを読み出して再生することが望ましい。これにより、利用者が選択した記録メディアについて先に解析を行うことにより、この解析結果を表示してその表示に基づくコンテンツデータの検索が早期に可能になり、検索したコンテンツデータを再生するまでの時間を短縮することができる。
【００１０】
また、上述した記録メディア解析・登録手段は、記録メディアに記録されたコンテンツデータのフォルダ構成、ファイル構成およびファイル属性を解析することが望ましい。また、上述したコンテンツデータが楽曲データである場合に、属性情報には、楽曲データに関するアーティスト名、アルバム名、タイトル、ジャンル名の一部あるいは全部が含まれることが望ましい。このような解析を行うことにより、コンテンツデータの内容を特定することができ、再生対象となるコンテンツデータの検索が容易となる。
【図面の簡単な説明】
【００１１】
【図１】一実施形態のオーディオ装置の構成を示す図である。
【図２】記録メディアの接続を検出して解析を行う一連の動作手順を示す流れ図である。
【図３】ソース切り替えに伴う解析対象の記録メディアの変更の様子を示す説明図である。
【発明を実施するための形態】
【００１２】
以下、本発明の音楽データ再生装置を適用した一実施形態のオーディオ装置について、図面を参照しながら説明する。図１は、一実施形態のオーディオ装置の構成を示す図である。このオーディオ装置は、例えば車両に搭載されている。
【００１３】
図１において、オーディオ装置１は、制御部１０、ＵＳＢ（Universal Serial Bus）インタフェース部（ＵＳＢ  Ｉ／Ｆ）２０、ＳＤ（Secure Digital）インタフェース部（ＳＤ  Ｉ／Ｆ）２６、コンテンツリスト格納部３０、オーディオ処理部４０、増幅器４２、映像処理部５０、操作部６０を備えている。
【００１４】
制御部１０は、オーディオ装置１の全体を制御する。制御部１０の詳細については後述する。ＵＳＢインタフェース部２０は、外部の記録メディアとしてのＵＳＢメモリ２２、２４との間で信号の入出力を行うためのものであり、２つあるいはそれ以上の数のＵＳＢポートとＵＳＢホストコントローラが含まれる。ＵＳＢメモリ２２、２４には楽曲データや映像データ等のコンテンツデータが記録されている。
【００１５】
ＳＤインタフェース部２６は、外部の記録メディアとしてのＳＤメモリカード２８との間で信号の入出力を行うためのものであり、１つのＳＤカードスロットとＳＤホストコントローラが含まれる。ＳＤメモリカード２８には楽曲データや映像データ等のコンテンツデータが記録されている。
【００１６】
コンテンツリスト格納部３０は、ＵＳＢメモリ２２等の各記録メディアに対応するコンテンツリストを格納する。このコンテンツリストには、コンテンツデータのフォルダ構成、ファイル構成およびファイル属性が含まれている。また、コンテンツデータが楽曲データの場合には、ファイル属性には、この楽曲データに関するアーティスト名、アルバム名、タイトル、ジャンル名の全部あるいは一部が含まれる。コンテンツデータが映像データの場合には、このファイル属性には、この映像データに関する出演者名、アルバム名、タイトル、ジャンル名の全部あるいは一部が含まれる。
【００１７】
オーディオ処理部４０は、制御部１０によってＵＳＢメモリ２２、２４あるいはＳＤメモリカード２８から読み出される楽曲データを再生するためのものであり、データ形式毎の音声復号処理等を行ってオーディオ信号を出力する。このオーディオ信号は、増幅器４２によって増幅され、スピーカ４４から出力される。なお、実際には、２チャンネルあるいはそれ以上のチャンネル数のオーディオ信号が再生されて出力されるが、図１に示す構成では、簡略化して１つの増幅器４２と１つのスピーカ４４が図示されている。
【００１８】
映像処理部５０は、制御部１０によってＵＳＢメモリ２２、２４あるいはＳＤメモリカード２８から読み出される映像データを再生するためのものであり、データ形式毎の映像復号処理等を行って映像信号を出力する。この映像信号は、表示装置５２に入力されて映像表示が行われる。表示対象の映像には動画と静止画の両方が含まれる。
【００１９】
操作部６０は、利用者による各種操作を受け付けるためのものであり、各種のスイッチや操作つまみ等が備わっている。なお、表示装置５２の画面に重ねて配置されるタッチパネルを用いて操作部６０を構成したり、リモートコントロールユニット等を用いて操作部を構成するようにしてもよい。
【００２０】
次に、制御部１０について説明する。図１に示すように、制御部１０は、記録メディア検出部１２、記録メディア解析・登録部１４、解析順指示部１６、コンテンツ検索部１８を含んで構成されている。
【００２１】
記録メディア検出部１２は、記録メディアの接続の有無を検出する。本実施形態では、ＵＳＢインタフェース部２０のＵＳＢポートへのＵＳＢメモリ２２、２４の接続の有無と、ＳＤインタフェース部２６のＳＤカードスロットへのＳＤメモリカード２８の接続の有無が検出される。なお、ＵＳＢメモリ２２、２４、ＳＤメモリカード２８のそれぞれは、オーディオ装置１の起動前にＵＳＢポートやＳＤカードスロットに挿入されている場合の他、起動後の動作状態において挿入される場合が考えられる。
【００２２】
記録メディア解析・登録部１４は、接続が検出された記録メディア（ＵＳＢメモリ２２、２４、ＳＤメモリカード２８）に記録されたコンテンツデータを解析し、解析結果を登録する。この解析はコンテンツリスト格納部３０に格納するコンテンツリストを作成するために行われるものであり、コンテンツデータのフォルダ構成、ファイル構成およびファイル属性が、接続が検出された記録メディア毎に解析され、解析結果としてのコンテンツリストがコンテンツリスト格納部３０に格納（登録）される。
【００２３】
解析順指示部１６は、複数の記録メディアが解析可能な状態にあるときに解析順番を指示する。基本的には、記録メディア検出部１２によって接続が検出された順に解析が行われる。例えば、オーディオ装置１の起動後にＵＳＢメモリ２２等の挿入が行われ、（１）ＳＤメモリカード２８、（２）ＵＳＢメモリ２２、（３）ＵＳＢメモリ２４の順番で接続を検出された場合を考えると、（１）ＳＤメモリカード２８の解析・登録、（２）ＵＳＢメモリ２２の解析・登録、（３）ＵＳＢメモリ２４のの解析・登録の順番となる。解析に要する時間は、記録されているコンテンツデータの量によって変化する。例えば、ＵＳＢメモリ２２、２４やＳＤメモリカード２８に１０００曲分の楽曲データが格納されている場合には、解析に約３２０秒要することが確認されている。
【００２４】
ところで、コンテンツデータを再生する際には、利用者は、操作部６０を用いて操作対象（コンテンツデータの再生対象）となる記録メディアを選択し、この選択された記録メディアに記録されたいずれかのコンテンツデータを指定する必要がある。このようにして指定されたコンテンツデータが楽曲データの場合にはオーディオ処理部４０を用いて音声再生が行われ、映像データの場合には映像処理部５０を用いて映像再生が行われる。
【００２５】
上述したように、記録メディアの解析順番は基本的に接続を検出した順であるが、解析順指示部１６は、利用者による操作対象となる記録メディアの選択（ソース切り替え）が行われた場合には、この選択された記録メディアを先に解析するように解析順を変更する。この場合には、解析途中の記録メディアについては解析が中断される。
【００２６】
コンテンツ検索部１８は、コンテンツリスト格納部３０に格納されているコンテンツリストに基づいて、このコンテンツリストに対応する記録メディアに記録されたコンテンツデータを検索して読み出す。例えば、利用者が操作部６０を用いて操作対象（コンテンツデータの再生対象）となる記録メディアを選択すると、この記録メディアに対応するコンテンツリストがコンテンツリスト格納部３０から読み出され、その内容が映像処理部５０によって表示装置５２に表示される。利用者は、この表示されたコンテンツリストの内容を参照しながら、操作部６０を操作して再生対象のコンテンツデータを指定することができる。コンテンツ検索部１８は、このようなコンテンツリストを用いたコンテンツデータの検索を行って再生対象となるコンテンツデータを特定する。
【００２７】
上述した記録メディア検出部１２が記録メディア検出手段に、記録メディア解析・登録部１４が記録メディア解析・登録手段に、操作部６０が記録メディア選択手段に、解析順指示部１６が解析順番指示手段に、オーディオ処理部４０、映像処理部５０がコンテンツ再生手段に、表示装置５２が表示手段に、コンテンツ検索部１８がコンテンツ検索手段にそれぞれ対応する。
【００２８】
オーディオ装置１はこのような構成を有し、次に、各記録メディアを解析してコンテンツリストを登録する動作を説明する。図２は、記録メディアの接続を検出して解析を行う一連の動作手順を示す流れ図である。
【００２９】
オーディオ装置１が起動されると、記録メディア検出部１２は、いずれかの記録メディアの接続を検出したか否かを判定する（ステップ１００）。この時点でいずれの記録メディアも接続されていない場合には否定判断が行われ、この判定が繰り返される。また、いずれかの記録メディア（例えば、ＳＤメモリカード２８）が接続されると、ステップ１００の判定において肯定判断が行われる。
【００３０】
次に、記録メディア解析・登録部１４は、この検出された記録メディア（ＳＤメモリカード２８）の解析を行うとともに（ステップ１０２）、この解析が終了したか否かを判定する（ステップ１０４）。解析が終了するまで否定判断が行われ、次に、解析順指示部１６は、ソース切り替え（利用者による操作対象となる記録メディアの選択）が行われたか否かを判定する（ステップ１０６）。ソース切り替えが行われない場合には否定判断が行われ、ステップ１０２に戻って解析動作が継続される。
【００３１】
また、解析動作が終了した場合にはステップ１０４の判定において肯定判断が行われる。次に、記録メディア解析・登録部１４は、ＳＤメモリカード２８の解析結果であるコンテンツリストの登録を行う（ステップ１０８）。登録されたコンテンツリストはコンテンツリスト格納部３０に格納される。この登録処理が終了すると、ステップ１００に戻って、記録メディアの検出判定以降の動作が繰り返される。なお、ステップ１００の判定動作は、ステップ１０２の解析動作中も並行して行われており、ステップ１０２の解析動作中に他の記録メディアの接続が検出された場合には、この解析中の記録メディアに対するステップ１０８の登録動作が終了してから次の記録メディア（複数の場合には接続順）に対するステップ１０２の解析動作が開始される。
【００３２】
また、解析動作の途中でソース切り替えが行われた場合にはステップ１０６の判定において肯定判断が行われる。次に、解析順指示部１６は、切り替え後のソースとしての記録メディアが、解析が終了してコンテンツリストが登録済みか否かを判定する（ステップ１１０）。登録済みの場合には否定判断が行われ、ステップ１０２に戻ってＳＤメモリカード２８の解析動作が継続される。
【００３３】
また、ソース切り替え後の記録メディアが未登録の場合にはステップ１１０の判定において否定判断が行われる。例えば、ＳＤメモリカード２８を解析中にＵＳＢメモリ２２が接続されてその解析待ちの状態において、操作対象の記録メディアとしてこの解析待ちのＵＳＢメモリ２２が選択されると、ステップ１００の判定において否定判断が行われる。
【００３４】
次に、記録メディア解析・登録部１４は、その時点で行われていたＳＤメモリカード２６の解析を中断し（ステップ１１２）、ソース切り替え後に選択された記録メディア（例えばＵＳＢメモリ２２）の解析を行うとともに（ステップ１１４）、この解析が終了したか否かを判定する（ステップ１１６）。解析が終了するまで否定判断が行われ、ステップ１１４に戻ってソース切り替え後に選択された記録メディア（例えばＵＳＢメモリ２２）の解析動作が継続される。
【００３５】
また、解析動作が終了した場合にはステップ１１６の判定において肯定判断が行われる。次に、記録メディア解析・登録部１４は、ＵＳＢメモリ２２の解析結果であるコンテンツリストの登録を行う（ステップ１１８）。登録されたコンテンツリストはコンテンツリスト格納部３０に格納される。この登録処理が終了すると、記録メディア解析・登録部１４は、ソース切り替え前に行われていたＳＤメモリカード２８の解析動作を中断位置から再開する（ステップ１２０）。その後、ステップ１０２に戻ってＳＤメモリカード２８の解析動作が継続される。
【００３６】
図３は、ソース切り替えに伴う解析対象の記録メディアの変更の様子を示す説明図である。図３に示すように、Ａの時点でＳＤメモリカード２８が接続されると、この接続が検出されてＳＤメモリカード２８の解析が開始される。この解析は、ａで示された時点まで処理時間を要するものとする。ところが、このａよりも前のＢの時点において新たにＵＳＢメモリ２２が接続され、Ｃの時点において利用者によってこのＵＳＢメモリ２２にソース切り替えが行われると、その時点で解析中のＳＤメモリカード２８の解析が中断され、ソース切り替えによって選択されたＵＳＢメモリ２２の解析が新たに開始される。そして、この解析がＤの時点で終了すると、その後、中断されていたＳＤメモリカード２８の解析が再開される。
【００３７】
このように、本実施形態のオーディオ装置１では、利用者がソース切り替えを行っていずれかの記録メディアを選択したときにこの選択された記録メディアを対象に解析および登録を行うようにしているため、接続順番が早いが再生の対象ではない記録メディア（図３に示す例ではＳＤメモリカード２８）の解析に時間がかかることを防止し、利用者が希望する記録メディア（図３に示す例ではＵＳＢメモリ２２）に記録されたコンテンツデータの再生までにかかる時間を短縮することができる。
【００３８】
また、基本的には接続順に各記録メディアの解析を行うとともに、利用者が先に解析を行う記録メディアを指定した場合に優先的にこの記録メディアの解析を行っているため、必要に応じて記録メディアの解析順番を変更することができ、利用者の意志を反映して操作性を向上させることができる。特に、利用者が選択した記録メディアについて先に解析を行うことにより、この解析結果（コンテンツリスト）を表示装置５２に表示してその表示に基づくコンテンツデータの検索が早期に可能になり、検索したコンテンツデータを再生するまでの時間を短縮することができる。
【００３９】
なお、本発明は上記実施形態に限定されるものではなく、本発明の要旨の範囲内において種々の変形実施が可能である。例えば、上述した実施形態では、解析対象となる記録メディアとして２つのＵＳＢメモリ２２、２４と１つのＳＤメモリカード２８を想定したが、これらの数は適宜変更するようにしてもよい。また、記録メディアの種類はこれらに限定されず他の種類の記録メディアを加えたり、置き換えるようにしてもよい。例えば、挿抜可能（取り替え可能）なものであれば、他の規格に準拠した半導体メモリを用いた記録メディアであってもよいし、ディスク型媒体（ＤＶＤ等）であってもよい。ＤＶＤ等も膨大な数の階層化されたコンテンツデータを記録可能であり、ディスク読み取り装置に装填してＤＶＤ等が認識された時点で記録メディアの接続が検出されたことになるため、ＵＳＢメモリ等と同様に本発明を適用することができる。
【００４０】
また、上述した実施形態では、コンテンツデータとして楽曲データと映像データの両方を考えたが、いずれか一方のみが記録されている場合にも本発明を適用することができる。また、コンテンツリストとしてフォルダ構造、ファイル構造およびファイル属性が含まれる場合について説明したが、コンテンツリストにはこれらの一部あるいはこれらの一部あるいは全部以外に他の情報が含まれるようにしてもよい。また、コンテンツリストの形式は、必ずしもリスト形式である必要はなく、後にコンテンツデータの検索に用いることができるものであればどのような形式であったもよい。
【産業上の利用可能性】
【００４１】
上述したように、本発明によれば、利用者がソース切り替えを行っていずれかの記録メディアを選択したときにこの選択された記録メディアを対象に解析および登録を行うようにしているため、接続順番が早いが再生の対象ではない記録メディアの解析に時間がかかることを防止し、利用者が希望する記録メディアに記録されたコンテンツデータの再生までにかかる時間を短縮することができる。
【符号の説明】
【００４２】
１  オーディオ装置
１０  制御部
１２  記録メディア検出部
１４  記録メディア解析・登録部
１６  解析順指示部
１８  コンテンツ検索部
２０  ＵＳＢインタフェース部（ＵＳＢ  Ｉ／Ｆ）
２２、２４  ＵＳＢメモリ
２６  ＳＤ（Secure Digital）インタフェース部（ＳＤ  Ｉ／Ｆ）
２８  ＳＤメモリカード
３０  コンテンツリスト格納部
４０  オーディオ処理部
４２  増幅器
５０  映像処理部
６０  操作部
【図１】
0005600077.tif 000002
【図２】
0005600077.tif 000003
【図３】
0005600077.tif 000004